【手続補正書】
【提出日】平成22年1月16日(2010.1.16)
【手続補正１】
【補正対象書類名】明細書
【補正対象項目名】０００９
【補正方法】変更
【補正の内容】
【０００９】
現在に至るまで、アンチウィルス・ソフトウェアなど種々のセキュリティ・ソフトウェアが悪意コードの特定の例を阻止しようとしてきた。これは、特定例の中のプログラミングコードの構成を特定的に識別する、バイナリファイル中のバイト列（すなわちシグネチャ）を探すことにより行われる。典型的に、このようなファイルやその他のコードの検証は、オープン・システム・インターコネクション（Ｏｐｅｎ  Ｓｙｓｔｅｍｓ  Ｉｎｔｅｒｃｏｎｎｅｃｔｉｏｎ：ＯＳＩ）モデルのアプリケーション層で行われる。より具体的には、ファイルシステムに保存後、またはコンピューティング・システム上のメモリに保持中に、ファイル上でウィルスのスキャンを行う。これらのシステムは大抵のウィルスに対してうまく作用するが、脆弱性の悪用により、標的とされるコンピュータのアプリケーション層よりも深いレベルに悪意コードが侵入する可能性がある。従って、このようなソフトウェアの脆弱性を利用する犯罪者は、典型的なセキュリティ・ソフトウェアが悪意コードを検出し、対策をとる前にその悪意コードを実行させる可能性がある。。
この出願の発明に関連する先行技術文献情報としては、以下のものがある（国際出願日以降国際段階で引用された文献及び他国に国内移行した際に引用された文献を含む）。
【特許文献１】米国特許出願公開第２００５／０１０８３９３号明細書
【特許文献２】米国特許出願公開第２００５／０２８３８３７号明細書
【特許文献３】米国特許出願公開第２００７／０２２６７９７号明細書
【特許文献４】米国特許出願公開第２００３／０２１２０００号明細書
【特許文献５】国際公開第９１／１６４２８号
【特許文献６】国際公開第９６／２６２１５号
【特許文献７】国際公開第２００６／０９６５６５号
【特許文献８】米国特許第５,８４０,５３１号明細書
【特許文献９】米国再発行特許発明第３９２９９号明細書
【特許文献１０】米国再発行特許発明第３９０６２号明細書
【特許文献１１】米国特許第５,８３４,５９０号明細書
【特許文献１２】米国特許出願公開第２００４／０１３２６４４号明細書
【特許文献１３】米国特許出願公開第２００５／００８４４４９号明細書
【特許文献１４】米国特許第５,６９８,４２６号明細書
【特許文献１５】米国特許第５,２２３,４０９号明細書
【特許文献１６】米国特許第５,４０３,４８４号明細書
【特許文献１７】米国特許第５,５８０,７１７号明細書
【特許文献１８】米国特許第５,４２７,９０８号明細書
【特許文献１９】米国特許第５,７５０,７５３号明細書
【特許文献２０】米国特許第５,８２１,０４７号明細書
【特許文献２１】米国特許第５,５７１,６９８号明細書
【特許文献２２】米国特許第５,５１６,６３７号明細書
【特許文献２３】米国特許第５,７８０,２２５号明細書
【特許文献２４】米国特許第５,６５８,７２７号明細書
【特許文献２５】米国特許第５,７３３,７４３号明細書
【特許文献２６】米国特許第５,９６９,１０８号明細書
【特許文献２７】米国特許第４,４４４,８８７号明細書
【特許文献２８】米国特許第４,７１６,１１１号明細書
【特許文献２９】米国特許第５,８０７,７１５号明細書
【特許文献３０】米国特許第４,８１６,５６７号明細書
【特許文献３１】米国特許第４,８１６,３９７号明細書
【特許文献３２】米国特許第６,３１１,４１５号明細書
【特許文献３３】米国特許第５,２２５,５３９号明細書
【特許文献３４】米国特許第５,５３０,１０１号明細書
【特許文献３５】米国特許第５,５８５,０８９号明細書
【特許文献３６】米国特許第５,５６５,３３２号明細書
【特許文献３７】米国特許第６,４０７,２１３号明細書
【特許文献３８】米国特許第５,７６６,８８６号明細書
【特許文献３９】国際公開第９２／０１０４７号
【特許文献４０】国際公開第９０／０２８０９号
【特許文献４１】国際公開第９１／１０７３７号
【特許文献４２】国際公開第９２／１８６１９号
【特許文献４３】国際公開第９３／１１２３６号
【特許文献４４】国際公開第９５／１５９８２号
【特許文献４５】国際公開第９５／２０４０１号
【特許文献４６】国際公開第９７／１３８４４号
【特許文献４７】国際公開第９２／２２３２４号
【特許文献４８】国際公開第９８／４６６４５号
【特許文献４９】国際公開第９８／５０４３３号
【特許文献５０】国際公開第９８／２４８９３号
【特許文献５１】国際公開第９８／１６６５４号
【特許文献５２】国際公開第９６／３４０９６号
【特許文献５３】国際公開第９６／３３７３５号
【特許文献５４】国際公開第９１／１０７４１号
【特許文献５５】欧州特許第２３９４００号明細書
【特許文献５６】国際公開第９１／０９９６７号
【特許文献５７】欧州特許第０５９２１０６号明細書
【特許文献５８】欧州特許第０５１９５９６号明細書
【特許文献５９】国際公開第９３／１７１０５号
【非特許文献１】ＢＵＳＥ  ｅｔ  ａｌ．，Ａｍｙｌｉｎ  ｒｅｐｌａｃｅｍｅｎｔ  ｗｉｔｈ  ｐｒａｍｌｉｎｔｉｄｅ  ｉｎ  ｔｙｐｅ  １  ａｎｄ  ｔｙｐｅ  ２  ｄｉａｂｅｔｅｓ：Ａ  ｐｈｙｓｉｏｌｏｇｉｃａｌ  ａｐｐｒｏａｃｈ  ｔｏ  ｏｖｅｒｃｏｍｅ  ｂａｍｉｅｒｓ  ｗｉｔｈ  ｉｎｓｕｌｉｎ  ｔｈｅｒａｐｙ．２００２，Ｃｌｉｎ．Ｄｉａｂ．２０：１３７−１４４
【非特許文献２】ＲＩＧＧ  ｅｔ  ａｌ．，Ｅｆｆｅｃｔｓ  ｏｆ  Ｅｘｏｇｅｎｏｕｓ  ｉｎｓｕｌｉｎ  ｏｎ  ｅｘｃｕｒｓｉｏｎｓ  ａｎｄ  ｄｉｕｍａｌ  ｒｈｙｔｈｍ  ｏｆ  ｐｌａｓｍａ  ｇｌｕｃｏｓｅ  ｉｎ  ｐｒｅｇｎａｎｔ  ｄｉａｂｅｔｉｃ  ｐａｔｉｅｎｔｓ  ｗｉｔｈ  ａｎｄ  ｗｉｔｈｏｕｔ  ｒｅｓｉｄｕａｌ，１９８０，Ａｍ．Ｊ．Ｏｂｓｔｅｔ．Ｇｙｎｅｃｏｌ．１３６：５３７−５４４
【非特許文献３】ＲＡＦＡＥＬＯＦＦ  ｅｔ  ａｌ．，Ｃｌｏｎｉｎｇ  ａｎｄ  Ｓｅｑｕｅｎｃｉｎｇ  ｏｆ  ｔｈｅ  Ｐａｎｃｒｅａｔｉｃ  Ｉｓｌｅｔ  Ｎｅｏｇｅｎｅｓｉｓ  Ａｓｓｏｃｉａｔｅｄ  Ｐｒｏｔｅｉｎ（ＩＮＧＡＰ）Ｇｅｎｅ  ａｎｄ  Ｉｔｓ  Ｅｘｐｒｅｓｓｉｏｎ  ｉｎ  Ｉｓｌｅｔ  Ｎｅｏｇｅｎｅｓｉｓ  ｉｎ  Ｈａｍｓｔｅｒｓ．Ｊ．Ｃｌｉｎ．Ｉｎｖｅｓｔ．，Ｍａｙ  １９９７，９９（９）：２１００−２１０９
【非特許文献４】ＬＥＷＩＳ  ｅｔ  ａｌ．，Ｉｍｐｒｏｖｅｄ  ｇｌｕｃｏｓｅ  ｃｏｎｔｒｏｌ  ｉｎ  ｎｏｎｈｏｓｐｉｔａｌｉｚｅｄ  ｐｒｅｇｎａｎｔ  ｄｉａｂｅｔｉｃ  ｐａｔｉｅｎｔｓ．１９７６．Ｏｂｓｔｅｔ．Ｇｙｎｅｃｏｌ．４８（３）：２６０−２６７
【非特許文献５】ＩＬＩＣ  ｅｔ  ａｌ．，Ｉｓ  ｔｈｅ  ｐａｒａｄｏｘｉｃａｌ  ｆｉｒｓｔ  ｔｒｉｍｅｓｔｅｒ  ｄｒｏｐ  ｉｎ  ｉｎｓｕｌｉｎ  ｒｅｑｕｉｒｅｍｅｎｔ  ｄｕｅ  ｔｏ  ａｎ  ｉｎｃｒｅａｓｅ  ｉｎ  Ｃ−ｐｅｐｔｉｄｅ  ｃｏｎｃｅｎｔｒａｔｉｏｎ  ｉｎ  ｐｒｅｇｎａｎｔ  Ｔｙｐｅ  Ｉ  ｄｉａｂｅｔｉｃ  ｗｏｍｅｎ？  ２０００，Ｄｉａｂｅｔｏｌｏｇｉａ  ４３：１３２９−１３３０
【非特許文献６】ＪＯＶＡＮＯＶＩＣ  ｅｔ  ａｌ．，Ｄｅｃｌｉｎｉｎｇ  Ｉｎｓｕｌｉｎ  Ｒｅｑｕｉｒｅｍｅｎｔ  ｉｎ  ｔｈｅ  Ｌａｔｅ  Ｆｉｒｓｔ  Ｔｒｉｍｅｓｔｅｒ  ｏｆ  Ｄｉａｂｅｔｉｃ  Ｐｒｅｇｎａｎｃｙ，２００１．Ｄｉａｂｅｔｅｓ  Ｃａｒｅ  ２４：１１３０−１１３６
【非特許文献７】ＨＯＬＩＣＫ  ｅｔ  ａｌ．，Ｐｒｅｖａｌｅｎｃｅ  ｏｆ  Ｖｉｔａｍｉｎ  Ｄ  Ｉｎａｄｅｑｕａｃｙ  ａｍｏｎｇ  Ｐｏｓｔｍｅｎｏｐａｕｓａｌ  Ｎｏｒｔｈ  Ａｍｅｒｉｃａｎ  Ｗｏｍｅｎ  Ｒｅｃｅｉｖｉｎｇ  Ｏｓｔｅｏｐｏｒｏｓｉｓ  Ｔｈｅｒａｐｙ，２００５，Ｊ．Ｃｌｉｎ．Ｅｎｄｏｃｒｉｎｏｌ．Ｍｅｔａｂ．９０（６）：３２１５−３２２４
【非特許文献８】ＲＩＡＣＨＹ  ｅｔ  ａｌ．，１，２５−ｄｉｈｙｄｒｏｘｙｖｉｔａｍｉｎ  Ｄ３  ｐｒｏｔｅｃｔｓ  ｈｕｍａｎ  ｐａｎｃｒｅａｔｉｃ  ｉｓｌｅｔｓ  ａｇａｉｎｓｔ  ｃｙｔｏｋｉｎｅ−ｉｎｄｕｃｅｄ  ａｐｏｐｔｏｓｉｓ  ｖｉａ  ｄｏｗｎ−ｒｅｇｕｌａｔｉｏｎ  ｏｆ  ｔｈｅ  ｆａｓ  ｒｅｃｅｐｔｏｒ，Ｆｅｂ．２００６，Ａｐｏｐｔｏｓｉｓ  １１（２）：１５１−１５９
【非特許文献９】ＨＯＬＩＣＫ，Ｈｉｇｈ  Ｐｒｅｖａｌｅｎｃｅ  ｏｆ  Ｖｉｔａｍｉｎ  Ｄ  Ｉｎａｄｅｑｕａｃｙ  ａｎｄ  Ｉｍｐｌｉｃａｔｉｏｎｓ  ｆｏｒ  Ｈｅａｌｔｈ．Ｍａｒ．２００６．Ｍａｙｏ  Ｃｌｉｎ．Ｐｒｏｃ．８１（３）：３５３−３７３
【非特許文献１０】ＧＲＡＮＴ．Ｅｐｉｄｅｍｉｏｌｏｇｙ  ｏｆ  ｄｉｓｅａｓｅ  ｒｉｓｋｓ  ｉｎ  ｒｅｌａｔｉｏｎ  ｔｏ  ｖｉｔａｍｉｎ  Ｄ  ｉｎｓｕｆｆｉｃｉｅｎｃｙ，Ｆｅｂ．２８，２００６．Ｐｒｏｇ．Ｂｉｏｐｈｙｓ．Ｍｏｌ  Ｂｉｏｌ．９２：６５−７９
【非特許文献１１】ＤＩＣＥＳＡＲ  ｅｔ  ａｌ．，Ｖｉｔａｍｉｎ  Ｄ  Ｄｅｆｉｃｉｅｎｃｙ  ｉｓ  Ｍｏｒｅ  Ｃｏｍｍｏｎ  ｉｎ  Ｔｙｐｅ  ２  Ｔｈａｎ  ｉｎ  Ｔｙｐｅ  １  Ｄｉａｂｅｔｅｓ，Ｊａｎ．２００６．Ｄｉａｂｅｔｅｓ  Ｃａｒｅ，２９（１）：１７４
【非特許文献１２】ＲＥＩＳ  ｅｔ  ａｌ．，Ｖｉｔａｍｉｎ  Ｄ  ｅｎｄｏｃｒｉｎｅ  ｓｙｓｔｅｍ  ａｎｄ  ｔｈｅ  ｇｅｎｅｔｉｃ  ｓｕｓｃｅｐｔｉｂｉｌｉｔｙ  ｔｏ  ｄｉａｂｅｔｅｓ．ｏｂｅｓｉｔｙ  ａｎｄ  ｖａｓｃｕｌａｒ  ｄｉｓｅａｓｅ：Ａ  ｒｅｖｉｅｗ  ｏｆ  ｅｖｉｄｅｎｃｅ，２００５，Ｄｉａｂｅｔｅｓ  Ｍｅｔａｂ．３１（４  ｐｔ  １）：３１８−３２５
【非特許文献１３】ＰＯＺＺＩＬＬＩ  ｅｔ  ａｌ．，Ｌｏｗ  Ｌｅｖｅｌｓ  ｏｆ  ２５−ｈｙｄｒｏｘｙｖｉｔａｍｉｎ  Ｄ３  ａｎｄ  １．２５−ｄｉｈｙｄｒｏｘｙｖｉｔａｍｉｎＤ３  ｉｎ  Ｐａｔｉｅｎｔｓ  ｗｉｔｈ  Ｎｅｗｌｙ  Ｄｉａｇｏｎｏｓｅｄ  Ｔｙｐｅ  １  Ｄｉａｂｅｔｅｓ，２００５．Ｈｏｒｍ．Ｍｅｔａｂ．Ｒｅｓ．３７（１１）：６８０−６８３
【非特許文献１４】ＨＥＡＮＥＹ  ｅｔ  ａｌ．，Ｈｕｍａｎ  ｓｅｒｕｍ  ２５−ｈｙｄｒｏｘｙｃｈｏｌｅｃａｌｃｉｆｅｒｏｌ  ｒｅｓｐｏｎｓｅ  ｔｏ  ｅｘｔｅｎｄｅｄ  ｏｒａｌ  ｄｏｓｉｎｇ  ｗｉｔｈ  ｃｈｏｌｅｃａｌｃｉｆｅｒｏｌ１−３，２００３．Ａｍ，Ｊ．Ｃｌｉｎ．Ｎｕｔｒ．７７：２０４−２１０
【非特許文献１５】ＶＩＥＴＨ  ｅｔ  ａｌ．，Ｅｆｆｉｃａｃｙ  ａｎｄ  ｓａｆｅｔｙ  ｏｆ  ｖｉｔａｍｉｎ  Ｄ３  ｉｎｔａｋｅ  ｅｘｃｅｅｄｉｎｇ  ｔｈｅ  ｌｏｗｅｓｔ  ｏｂｓｅｒｖｅｄ  ａｄｖｅｒｓｅ  ｅｆｆｅｃｔ  ｌｅｖｅｌ１−３，２００１，Ａｍ．Ｊ．Ｃｌｉｎ．Ｎｕｔｒ．７３：２８８−２９４
【非特許文献１６】ＡＵＳＵＢＥＬ  ｅｔ  ａｌ．ｅｄｓ．，Ｃｕｒｒｅｎｔ  Ｐｒｏｔｏｃｏｌｓ  ｉｎ  Ｍｏｌｅｃｕｌａｒ  Ｂｉｏｌｏｇｙ，Ｊｏｈｎ  Ｗｉｌｅｙ  &  Ｓｏｎｓ，２００６（ＴＯＣ）
【非特許文献１７】ＹＯＯＮ  ｅｔ  ａｌ．，Ｓｅｌｅｃｔｉｖｅ  β−Ｃｅｌｌ  Ｌｏｓｓ  ａｎｄ  α−Ｃｅｌｌ  Ｅｘｐａｎｓｉｏｎ  ｉｎ  Ｐａｔｉｅｎｔｓ  ｗｉｔｈ  Ｔｙｐｅ  ２  Ｄｉａｂｅｔｅｓ  Ｍｅｌｌｉｔｕｓ  ｉｎ  Ｋｏｒｅａ，２００３．Ｊ．Ｃｌｉｎ．Ｅｎｄｏｃｒｉｎｏｌ．Ｍｅｔａｂ．８８：２３００−２３０８
【非特許文献１８】ＬＩ  ｅｔ  ａｌ．，Ｉｓｌｅｔ  ｌｏｓｓ  ａｎｄ  ａｌｐｈａ  ｃｅｌｌ  ｅｘｐａｎｓｉｏｎ  ｉｎ  ｔｙｐｅ  １  ｄｉａｂｅｔｅｓ  ｉｎｄｕｃｅｄ  ｂｙ  ｍｕｌｔｉｐｌｅ  ｌｏｗ−ｄｏｓｅ  ｓｔｒｅｐｔｏｚｏｔｏｃｉｎ  ａｄｍｉｎｉｓｔｒａｔｉｏｎ  ｉｎ  ｍｉｃｅ，２０００，Ｊ．Ｅｎｄｏｃｒｉｎｏｌ．１６５：９３−９９
【非特許文献１９】ＶＵＫＫＡＤＡＰＵ  ｅｔ  ａｌ．，Ｄｙｎａｍｉｃ  ｉｎｔｅｒａｃｔｉｏｎ  ｂｅｔｗｅｅｎ  Ｔ  ｃｅｌｌ−ｍｅｄｉａｔｅｄ  β−ｃｅｌｌ  ｄａｍａｇｅ  ａｎｄ  β−ｃｅｌｌ  ｒｅｐａｉｒ  ｉｎ  ｔｈｅ  ｒｕｎ  ｕｐ  ｔｏ  ａｕｔｏｉｍｍｕｎｅ  ｄｉａｂｅｔｅｓ  ｏｆ  ｔｈｅ  ＮＯＤ  ｍｏｕｓｅ，Ａｐｒ．１４，２００５，Ｐｈｙｓｉｏｌ．Ｇｅｎｏｍｉｃｓ，２１（２）：２０１−２１１
【非特許文献２０】ＨＡＯ  ｅｔ  ａｌ．，Ｂｅｔａ−ｃｅｌｌ  ｄｉｆｆｅｒｅｎｔｉａｔｉｏｎ  ｆｒｏｍ  ｎｏｎｅｎｄｏｃｒｉｎｅ  ｅｐｉｔｈｅｌｉａｌ  ｃｅｌｌｓ  ｏｆ  ｔｈｅ  ａｄｕｌｔ  ｈｕｍａｎ  ｐａｎｃｒｅａｓ，２００６，Ｎａｔｕｒｅ  Ｍｅｄｉｃｉｎｅ  １２（３）：３１０−３１６
【非特許文献２１】ＪＡＭＡＬ  ｅｔ  ａｌ．，Ｍｏｒｐｈｏｇｅｎｅｔｉｃ  ｐｌａｓｔｉｃｉｔｙ  ｏｆ  ａｄｕｌｔ  ｈｕｍａｎ  ｐａｎｃｒｅａｔｉｃ  ｉｓｌｅｔｓ  ｏｆ  Ｌａｎｇｅｒｈａｎｓ，Ｊｕｌｙ  ２００５，Ｃｅｌｌ  Ｄｅａｔｈ  Ｄｉｆｆｅｒ．１２（７）：７０２−７１２
【非特許文献２２】ＡＵＳＵＢＥＬ  ｅｔ  ａｌ．ｅｄｓ．，Ｓｈｏｒｔ  Ｐｒｏｔｏｃｏｌｓ  ｉｎ  Ｍｏｌｅｃｕｌａｒ  Ｂｉｏｌｏｇｙ，２ｎｄｅｄ．，Ａ  ｃｏｍｐｅｎｄｉｕｍ  ｏｆ  Ｍｅｔｈｏｄｓ  ｆｒｏｍ  Ｃｕｒｒｅｎｔ  Ｐｒｏｔｏｃｏｌｓ  ｉｎ  Ｍｏｌｅｃｕｌａｒ  Ｂｉｏｌｏｇｙ，Ｊｏｈｎ  Ｗｉｌｅｙ  &  Ｓｏｎｓ，１９９２（ＴＯＣ）
【非特許文献２３】ＬＥＶＥＴＡＮ  ｅｔ  ａｌ．，Ｒｅｄｕｃｅｄ  Ｇｌｕｃｏｓｅ  Ｆｌｕｃｔｕａｔｉｏｎｓ  Ｆｏｌｌｏｗｉｎｇ  ４  Ｗｅｅｋｓ  ｏｆ  Ｐｒａｍｌｉｎｔｉｄｅ  Ｔｒｅａｔｍｅｎｔ  ｉｎ  Ｐａｔｉｅｎｔｓ  ｗｉｔｈ  Ｔｙｐｅ  １  Ｄｉａｂｅｔｅｓ  Ｉｎｔｅｎｓｉｖｅｌｙ  Ｔｒｅａｔｅｄ  ｗｉｔｈ  Ｉｎｓｕｌｉｎ  Ｐｕｍｐｓ，２００２，Ｄｉａｂｅｔｅｓ  ５１（ｓｕｐｐｌ．２）：４２９−Ｐ
【非特許文献２４】ＷＡＮＴ  ｅｔ  ａｌ．，Ｒｅｄｕｃｅｄ  Ｐｏｓｔｐｒａｎｄｉａｌ  Ｇｌｕｃｏｓｅ．Ｇｌｕｃａｇｏｎ  ａｎｄ  Ｔｒｉｇｌｙｃｅｒｉｄｅ  Ｅｘｃｕｒｓｉｏｎｓ  Ｆｏｌｌｏｗｉｎｇ  ４  Ｗｅｅｋｓ  ｏｆ  Ｐｒａｍｌｉｎｔｉｄｅ  Ｔｒｅａｔｍｅｎｔ  ｉｎ  Ｐａｔｉｅｎｔｓ  ｗｉｔｈ  Ｔｙｐｅ  １  Ｄｉａｂｅｔｅｓ  Ｔｒｅａｔｅｄ  Ｉｎｔｅｎｓｉｖｅｌｙ  ｗｉｔｈ  Ｉｎｓｕｌｉｎ  Ｐｕｍｐｓ，２００２．Ｄｉａｂｅｔｅｓ  ５１（ｓｕｐｐｌ．２）：４７４
【非特許文献２５】ＬＥＶＥＴＡＮ．Ｉｍｐａｃｔ  ｏｆ  Ｐｒａｍｌｉｎｔｉｄｅ  ｏｎ  ｔｈｅ  Ａｍｐｌｉｔｕｄｅ  ｏｆ  Ｇｌｙｃｅｍｉｃ  Ｅｘｃｕｒｓｉｏｎｓ．２００１，Ｄｉａｂｅｔｅｓ  ５０（ｓｕｐｐｌ．２）：２１０５−ＰＯ
【非特許文献２６】ＬＥＶＥＴＡＮ  ｅｔ  ａｌ．，Ｉｍｐａｃｔ  ｏｆ  Ｐｒａｍｌｉｎｔｉｄｅ  ｏｎ  Ｇｌｕｃｏｓｅ  Ｆｌｕｃｔｕａｔｉｏｎｓ  ａｎｄ  Ｐｏｓｔｐｒａｎｄｉａｌ  Ｇｌｕｃｏｓｅ，Ｇｌｕｃａｇｏｎ，ａｎｄ  Ｔｒｉｇｌｙｃｅｒｉｄｅ  Ｅｘｃｕｒｓｉｏｎｓ  Ａｍｏｎｇ  Ｐａｔｉｅｎｔｓ  ｗｉｔｈ  Ｔｙｐｅ  １  Ｄｉａｂｅｔｅｓ  Ｉｎｔｅｎｓｉｖｅｌｙ  Ｔｒｅａｔｅｄ  ｗｉｔｈ  Ｉｎｓｕｌｉｎ  Ｐｕｍｐｓ，２００３．Ｄｉａｂｅｔｅｓ  Ｃａｒｅ  ２６（１）：１−８
【非特許文献２７】ＨＥＲＯＬＤ  ｅｔ  ａｌ．，Ａ  Ｓｉｎｇｌｅ  Ｃｏｕｒｓｅ  ｏｆ  Ａｎｔｉ−ＣＤ３  Ｍｏｎｏｃｌｏｎａｌ  Ａｎｔｉｂｏｄｙ  ｈＯＫＴ３ｙ１（Ａｌａ−Ａｌａ）Ｒｅｓｕｌｔｓ  ｉｎ  Ｉｍｐｒｏｖｅｍｅｎｔ  ｉｎ  Ｃ−Ｐｅｐｔｉｄｅ  Ｒｅｓｐｏｎｓｅｓ  ａｎｄ  Ｃｌｉｎｉｃａｌ  Ｐａｒａｍｅｔｅｒｓ  ｆｏｒ  ａｔ  Ｌｅａｓｔ  ２  Ｙｅａｒｓ  ａｆｔｅｒ  Ｏｎｓｅｔ  ｏｆ  Ｔｙｐｅ  １  Ｄｉａｂｅｔｅｓ，２００５，Ｄｉａｂｅｔｅｓ  ５４（６）：１７６３−１７６９
【非特許文献２８】Ｒａｚ  ｅｔ  ａｌ．，  β−ｃｅｌｌ  ｆｕｎｃｔｉｏｎ  ｉｎ  ｎｅｗ−ｏｎｓｅｔ  ｔｙｐｅ  １  ｄｉａｂｅｔｅｓ  ａｎｄ  ｉｍｍｕｎｏｍｏｄｕｌａｔｉｏｎ  ｗｉｔｈ  ａ  ｈｅａｔ−ｓｈｏｃｋ  ｐｒｏｔｅｉｎ  ｐｅｐｔｉｄｅ（ＤｉａＰｅｐ２７７）：ａ  ｒａｎｄｏｍｉｚｅｄ，ｄｏｕｂｌｅ−ｂｌｉｎｄ，ｐｈａｓｅ  ＩＩ  ｔｒｉａｌ．２００２．Ｌａｎｃｅｔ，３５８：１７４９−１７５３
【非特許文献２９】ＡＧＡＲＤＨ  ｅｔ  ａｌ．，Ｃｌｉｎｉｃａｌ  ｅｖｉｄｅｎｃｅ  ｆｏｒ  ｔｈｅ  ｓａｆｅｔｙ  ｏｆ  ＧＡＤ６５  ｉｍｍｕｎｏｍｏｄｕｌａｔｉｏｎ  ｉｎ  ａｄｕｌｔ−ｏｎｓｅｔ  ａｕｔｏｉｍｍｕｎｅ  ｄｉａｂｅｔｅｓ，２００５，Ｊ．Ｄｉａｂｅｔｅｓ  Ｃｏｍｐｌｉｃａｔｉｏｎｓ，１９（４）：２３８−２４６
【非特許文献３０】ＲＯＳＥＮＢＥＲＧ  ｅｔ  ａｌ．，Ｔｒｏｐｈｉｃ  Ｓｔｉｍｕｌａｔｉｏｎ  ｏｆ  ｔｈｅ  Ｄｕｃｔｕｌａｒ−ｉｓｌｅｔ  Ｃｅｌｌ  Ａｘｉｓ：Ａ  ｎｅｗ  Ａｐｐｒｏａｃｈ  ｔｏ  ｔｈｅ  Ｔｒｅａｔｍｅｎｔ  ｏｆ  Ｄｉａｂｅｔｅｓ，１９９２．Ａｄｖ．Ｅｘｐ．Ｍｅｄ．Ｂｉｏｌ．３２１：９５−１０４
【非特許文献３１】ＲＯＳＥＮＢＥＲＧ  ｅｔ  ａｌ．，Ｉｓｌｅｔ−ｃｅｌｌ  ｒｅｇｅｎｅｒａｔｉｏｎ  ｉｎ  ｔｈｅ  ｄｉａｂｅｔｉｃ  ｈａｍｓｔｅｒ  ｐａｎｃｒｅａｓ  ｗｉｔｈ  ｒｅｓｔｏｒａｔｉｏｎ  ｏｆ  ｎｏｒｍｏｇｌｙｃａｅｍｉａ  ｃａｎ  ｂｅ  ｉｎｄｕｃｅｄ  ｂｙ  ａ  ｌｏｃａｌ  ｇｒｏｗｔｈ  ｆａｃｔｏｒ（ｓ），Ｍａｒ．１９９６，Ｄｉａｂｅｔｏｌｏｇｉａ  ３９（３）：２５６−２６２
【非特許文献３２】ＲＯＳＥＮＢＥＲＧ  ｅｔ  ａｌ．，ｉｎｄｕｃｔｉｏｎ  ｏｆ  Ｉｓｌｅｔ  Ｃｅｌｌ  Ｄｉｆｆｅｒｅｎｔｉａｔｉｏｎ  ａｎｄ  Ｎｅｗ  Ｉｓｌｅｔ  Ｆｏｒｍａｔｉｏｎ  ｉｎ  ｔｈｅ  Ｈａｍｓｔｅｒ−Ｆｕｒｔｈｅｒ  Ｓｕｐｐｏｒｔ  ｆｏｒ  ａ  Ｄｕｃｔｕｌａｒ  Ｏｒｉｇｉｎ，Ｊｕｌｙ  １９９６，Ｐａｎｃｒｅａｓ  １３（１）：３８−４６
【非特許文献３３】ＲＯＳＥＮＢＥＲＧ  ｅｔ  ａｌ．，Ａ  Ｐｅｎｔａｄｅｃａｐｅｐｔｉｄｅ  Ｆｒａｇｍｅｎｔ  ｏｆ  Ｉｓｌｅｔ  Ｎｅｏｇｅｎｅｓｉｓ−Ａｓｓｏｃｉａｔｅｄ  Ｐｒｏｔｅｉｎ  Ｉｎｃｒｅａｓｅｓ  Ｂｅｔａ−Ｃｅｌｌ  Ｍａｓｓ  ａｎｄ  Ｒｅｖｅｒｓｅｓ  Ｄｉａｂｅｔｅｓ  ｉｎ  Ｃ５７ＢＬ／６Ｊ  Ｍｉｃｅ，Ｎｏｖ．２００４．Ａｎｎ．Ｓｕｒｇ．２４０（５）：８７５−８８４
【非特許文献３４】ＶＩＮＩＫ  ｅｔ  ａｌ．，Ｉｎｄｕｃｔｉｏｎ  ｏｆ  Ｐａｎｃｒｅａｔｉｃ  Ｉｓｌｅｔ  Ｎｅｏｇｅｎｅｓｉｓ，Ｊｕｎｅ  １９９７，Ｈｏｒｍ．Ｍｅｔａｂ．Ｒｅｓ．２９（６）：２７８−２９３
【非特許文献３５】ＹＯＵＮＧ  ｅｔ  ａｌ．，Ａｍｙｌｉｎ’ｓ  ｐｈｙｓｉｏｌｏｇｙ  ａｎｄ  ｉｔｓ  ｒｏｌｅ  ｉｎ  ｄｉａｂｅｔｅｓ，１９９７，Ｃｕｒｒ．Ｏｐｉｎ．Ｅｎｄｏｃｒｉｎ．Ｄｉａｂｅｔｅｓ  ４（４）：２８２−２９０
【非特許文献３６】ＭＡＲＱＵＥＺ  ｅｔ  ａｌ．，Ｉｎｏｓｉｔｏｌｐｈｏｓｐｈｏｇｌｙｃａｎｓ  Ｐｏｓｓｉｂｌｙ  Ｍｅｄｉａｔｅ  ｔｈｅ  Ｅｆｆｅｃｔｓ  ｏｆ  Ｇｌｕｃａｇｏｎ−Ｌｉｋｅ  Ｐｅｐｔｉｄｅ−１（７−３６）ａｍｉｄｅ  ｏｎ  Ｒａｔ  Ｌｉｖｅｒ  ａｎｄ  Ａｄｉｐｏｓｅ  Ｔｉｓｓｕｅ，１９９８，Ｃｅｌｌ  Ｂｉｏｃｈｅｍ．Ｆｕｎｃｔ．１６（１）：５１−５６
【非特許文献３７】ＤＵＰＲＥ  ｅｔ  ａｌ．，Ｅｘｅｎｄｉｎ−４  Ｎｏｒｍａｌｉｚｅｄ  Ｐｏｓｔｃｉｂａｌ  Ｇｌｙｃｅｍｉｃ  Ｅｘｃｕｒｓｉｏｎｓ  ｉｎ  Ｔｙｐｅ  １  Ｄｉａｂｅｔｅｓ，２００４．Ｊ．Ｃｌｉｎ．Ｅｎｄｏｃｒｉｎ．Ｍｅｔａｂ．８９（７）：３４６９−３４７３
【非特許文献３８】ＥＤＷＡＲＤＳ  ｅｔ  ａｌ．，Ｇｌｕｃａｇｏｎ−Ｌｉｋｅ  Ｐｅｐｔｉｄｅ  １  Ｈａｓ  ａ  Ｐｈｙｓｉｏｌｏｇｉｃａｌ  Ｒｏｌｅ  ｉｎ  ｔｈｅ  Ｃｏｎｔｒｏｌ  ｏｆ  Ｐｏｓｔｐｒａｎｄｉａｌ  Ｇｌｕｃｏｓｅ  ｉｎ  Ｈｕｍａｎｓ，１９９９，Ｄｉａｂｅｔｅｓ  ４８：８６−９３
【非特許文献３９】ＸＵ  ｅｔ  ａｌ．，Ｅｘｐｅｎｄｉｎ−４  Ｓｔｉｍｕｌａｔｅｓ  Ｂｏｔｈ  β−Ｃｅｌｌ  Ｒｅｐｌｉｃａｔｉｏｎ  ａｎｄ  Ｎｅｏｇｅｎｅｓｉｓ，Ｒｅｓｕｌｔｉｎｇ  ｉｎ  Ｉｎｃｒｅａｓｅｄ  β−Ｃｅｌｌ  Ｍａｓｓ  ａｎｄ  Ｉｍｐｒｏｖｅｄ  Ｇｌｕｃｏｓｅ  Ｔｏｌｅｒａｎｃｅ  ｉｎ  Ｄｉａｂｅｔｉｃ  Ｒａｔｓ，１９９９．Ｄｉａｂｅｔｅｓ  ４８：２２７０−２２７６
【非特許文献４０】ＣＲＥＵＴＺＦＥＬＤＴ．Ｔｈｅ  Ｉｎｃｒｅｔｉｎ  Ｃｏｎｃｅｐｔ  Ｔｏｄａｙ．１９７９，Ｄｉａｂｅｔｏｌｏｇｉａ  １６：７５−８５
【非特許文献４１】ＣＲＥＵＴＺＦＥＬＤＴ  ｅｔ  ａｌ．，Ｎｅｗ  ｄｅｖｅｌｏｐｅｍｔｎｓ  ｉｎ  ｔｈｅ  ｉｎｃｒｅｔｉｎ  ｃｏｎｃｅｐｔ，１９８５，Ｄｉａｂｅｔｏｌｏｇｉａ  ２８：５６５−５７３
【非特許文献４２】ＨＯＬＳＴ  ｅｔ  ａｌ．，Ｉｎｃｒｅｔｉｎ  ｈｏｒｍｏｎｅｓ−ａｎ  ｕｐｄａｔｅ，２００１．Ｓｃａｎｄ．Ｊ．Ｃｌｉｎ．Ｌａｂ．Ｉｎｖｅｓｔ．Ｓｕｐｐｌ．２３４：７５−８５
【非特許文献４３】ＶＩＬＳＢＯＬＬ  ｅｔ  ａｌ．，Ｉｎｃｒｅｔｉｎ  Ｓｅｃｒｅｔｉｏｎ  ｉｎ  Ｒｅｌａｔｉｏｎ  ｔｏ  Ｍｅａｌ  Ｓｉｚｅ  ａｎｄ  Ｂｏｄｙ  Ｗｅｉｇｈｔ  ｉｎ  Ｈｅａｌｔｈｙ  Ｓｕｂｊｅｃｔｓ  ａｎｄ  Ｐｅｏｐｌｅ  ｗｉｔｈ  Ｔｙｐｅ  １  ａｎｄ  Ｔｙｐｅ  ２  Ｄｉａｂｅｔｅｓ  Ｍｅｌｌｉｔｕｓ，Ｊｕｎ．２００３．Ｊ．Ｃｌｉｎ．Ｅｎｄｏｃｒｉｎ．Ｍｅｔａｂ．８８（６）：２７０６−２７１３
【非特許文献４４】ＡＮＤＥＬＳＥＮ  ｅｔ  ａｌ．，Ｏｒａｌ  Ｇｌｕｃｏｓｅ  Ａｕｇｍｅｎｔａｔｉｏｎ  ｏｆ  Ｉｎｓｕｌｉｎ  Ｓｅｃｒｅｔｉｏｎ．１９７８，Ｊ．Ｃｌｉｎ．Ｉｎｖｅｓｔ．６２：１５２−１６１
【非特許文献４５】ＣＲＥＵＴＺＦＥＬＤＴ  ｅｔ  ａｌ．，Ｉｎｈｉｂｉｔｉｏｎ  ｏｆ  Ｇａｓｔｒｉｃ  Ｉｎｈｉｂｉｔｏｒｙ  Ｐｏｌｙｐｅｐｔｉｄｅ（ＧＩＰ）  Ｒｅｌｅａｓｅ  ｂｙ  Ｉｎｓｕｌｉｎ  ａｎｄ  Ｇｌｕｃｏｓｅ  ｉｎ  Ｊｕｖｅｎｉｌｅ  Ｄｉａｂｅｔｅｓ，１９８０．Ｄｉａｂｅｔｅｓ  ２９（２）：１４０−１４５
【非特許文献４６】ＤＵＰＲＥ  ｅｔ  ａｌ．，Ｓｔｉｍｕｌａｔｉｏｎ  ｏｆ  Ｉｎｓｕｌｉｎ  Ｓｅｃｒｅｔｉｏｎ  ｂｙ  Ｇａｓｔｒｉｃ  Ｉｎｈｉｂｉｔｏｒｙ  Ｐｏｌｙｐｅｐｔｉｄｅ  ｉｎ  Ｍａｎ，１９７３，Ｊ．Ｃｌｉｎ．Ｅｎｄｏｃｒｉｎ．Ｍｅｔａｂ．３７：８２６−８２８
【非特許文献４７】ＥＢＥＲＴ  ｅｔ  ａｌ．，Ｇａｓｔｒｉｃ  Ｉｎｈｉｂｉｔｏｒｙ  Ｐｏｌｙｐｅｐｔｉｄｅ，１９８０．Ｃｌｉｎ．Ｇａｓｔｒｏｅｎｔｅｒｏｌｏｇｙ  ９（３）：６７９−６９８
【非特許文献４８】ＥＬＡＨＩ  ｅｔ  ａｌ．，Ｐａｎｃｒｅａｔｉｃ  α−ａｎｄ  β−ｃｅｌｌ  ｒｅｓｐｏｎｓｅｓ  ｔｏ  ＧＩＰ  ｉｎｆｕｓｉｏｎ  ｉｎ  ｎｏｒｍａｌ  ｍａｎ，１９７９，Ａｍ．Ｊ．Ｐｈｙｓｉｏｌ．２３７：Ｅ  １８５−Ｅ１９１
【非特許文献４９】ＥＬＡＨＩ  ｅｔ  ａｌ．，Ｔｈｅ  ｉｎｓｕｌｉｎｏｔｒｏｐｉｃ  ａｃｔｉｏｎｓ  ｏｆ  ｇｌｕｃｏｓｅ−ｄｅｐｅｎｄｅｎｔ  ｉｎｓｕｌｉｎｏｔｒｏｐｉｃ  ｐｏｌｙｐｅｐｔｉｄｅ（ＧＩＰ）ａｎｄ  ｇｌｕｃａｇｏｎ−ｌｉｋｅ  ｐｅｐｔｉｄｅ−１（７−３７）ｉｎ  ｎｏｒｍａｌ  ａｎｄ  ｄｉａｂｅｔｉｃ  ｓｕｂｊｅｃｔｓ，１９９４，Ｒｅｇｕｌａｔｏｒｙ  Ｐｅｐｔｉｄｅ  ５１（１）：６３−７４
【非特許文献５０】ＫＲＡＲＵＰ  ｅｔ  ａｌ．，Ｄｉｍｉｎｉｓｈｅｄ  Ｉｍｍｕｎｏｒｅａｃｔｉｖｅ  Ｇａｓｔｒｉｃ  Ｉｎｈｉｂｉｔｏｒｙ  Ｐｏｌｙｐｅｐｔｉｄｅ  Ｒｅｓｐｏｎｓｅ  ｔｏ  ａ  Ｍｅａｌ  ｉｎ  Ｎｅｗｌｙ  Ｄｉａｇｎｏｓｅｄ  Ｔｙｐｅ  １（Ｉｎｓｕｌｉｎ−Ｄｅｐｅｎｄｅｎｔ）Ｄｉａｂｅｔｉｃｓ，Ｊｕｎ．１９８３．Ｊ．Ｃｌｉｎ．Ｅｎｄｏｃｒｉｎ．Ｍｅｔａｂ．５６（６）：１３０６−１３１２
【非特許文献５１】ＫＲＡＲＵＰ  ｅｔ  ａｌ．，Ｇａｓｔｒｉｃ  Ｉｎｈｉｂｉｔｏｒｙ  Ｐｏｌｙｐｅｐｔｉｄｅ  ｉｎ  Ｎｅｗｌｙ  Ｄｉａｇｎｏｓｅｄ  Ｋｅｔｏｔｉｃ  Ｔｙｐｅ  １（Ｉｎｓｕｌｉｎ−ｄｅｐｅｎｄｅｎｔ）Ｄｉａｂｅｔｉｃｓ，１９８８．Ａｃｔａ  Ｍｅｄ．Ｓｃａｎｄ．２２３（５）：４３７−４４１
【非特許文献５２】ＭＥＩＲ  ｅｔ  ａｌ．，Ｇａｓｔｒｉｃ  Ｉｎｈｉｂｉｔｏｒｙ  Ｐｏｌｙｐｅｐｔｉｄｅ：ｔｈｅ  ｎｅｇｌｅｃｔｅｄ  Ｉｎｃｒｅｔｉｎ  ｒｅｖｉｓｉｔｅｄ．２００２，Ｒｅｇｕｌａｔｏｒｙ  Ｐｅｐｔｉｄｅｓ  １０７：１−１３
【非特許文献５３】ＮＡＵＣＫ  ｅｔ  ａｌ．，Ａｄｄｉｔｉｖｅ  Ｉｎｓｕｌｉｎｏｔｒｏｐｉｃ  Ｅｆｆｅｃｔｓ  ｏｆ  Ｅｘｏｇｅｎｏｕｓ  Ｓｙｎｔｈｅｔｉｃ  Ｈｕｍａｎ  Ｇａｓｔｒｉｃ  Ｉｎｈｉｂｉｔｏｒｙ  Ｐｏｌｙｐｅｐｔｉｄｅ  ａｎｄ  Ｇｌｕｃａｇｏｎ−Ｌｉｋｅ  Ｐｅｐｔｉｄｅ−１−（７−３６）Ａｍｉｄｅ  Ｉｎｆｕｓｅｄ  ａｔ  Ｎｅａｒ−Ｐｈｙｓｉｏｌｏｇｉｃａｌ  Ｉｎｓｕｌｉｎｏｔｒｏｐｉｃ  Ｈｏｒｍｏｎｅ  ａｎｄ  Ｇｌｕｃｏｓｅ  Ｃｏｎｃｅｎｔｒａｔｉｏｎｓ，１９９３，Ｊ．Ｃｌｉｎ．Ｅｎｄｏｃｒｉｎ．Ｍｅｔａｂ．７６（４）：９１２−９１７
【非特許文献５４】ＪＯＮＥＳ  ｅｔ  ａｌ．，Ａ  ｓｕｐｐｌｅｍｅｎｔａｒｙ  ｉｎｆｕｓｉｏｎ  ｏｆ  ｇｌｕｃｏｓｅ−ｄｅｐｅｎｄｅｎｔ  ｉｎｓｙｌｉｎｏｔｒｏｐｉｃ  ｐｏｌｙｐｅｐｔｉｄｅ（ＧＩＰ）ｗｉｔｈ  ａ  ｍｅａｌ  ｄｏｅｓ  ｎｏｔ  ｓｉｇｎｉｆｉｃａｎｔｌｙ  ｉｍｐｒｏｖｅ  ｔｈｅ  β  ｃｅｌｌ  ｒｅｓｐｏｎｓｅ  ｏｒ  ｇｌｕｃｏｓｅ  ｔｏｌｅｒａｎｃｅ  ｉｎ  ｔｙｐｅ  ２  ｄｉａｂｅｔｅｓ  ｍｅｌｌｉｔｕｓ，Ｎｏｖ．６．１９８９．Ｄｉａｂｅｔｅｓ  Ｒｅｓ．Ｃｌｉｎ．Ｐｒｅｃｔ．７（４）：２６３−２６９
【非特許文献５５】ＥＬＡＨＩ  ｅｔ  ａｌ．，Ｔｈｅ  ｉｎｓｕｌｉｎｏｔｒｏｐｉｃ  ａｃｔｉｏｎｓ  ｏｆ  ｇｌｕｃｏｓｅ−ｄｅｐｅｎｄｅｎｔ  ｉｎｓｕｌｉｎｏｔｒｏｐｉｃ  ｐｏｌｙｐｅｐｔｉｄｅ（ＧＩＰ）ａｎｄ  ｇｌｕｃａｇｏｎ−ｌｉｋｅ  ｐｅｐｔｉｄｅ−１（７−３７）ｉｎ  ｎｏｒｍａｌ  ａｎｄ  ｄｉａｂｅｔｉｃ  ｓｕｂｊｅｃｔｓ，１９９４，Ｒｅｇｕｌａｔｏｒｙ  Ｐｅｐｔｉｄｅｓ  ５１（１）：６３−７４
【非特許文献５６】ＧＵＴＮＩＡＫ  ｅｔ  ａｌ．，Ｓｕｂｃｕｔａｎｅｏｕｓ  ｉｎｊｅｃｔｉｏｎ  ｏｆ  ｔｈｅ  Ｉｎｃｒｅｔｉｎ  Ｈｏｒｍｏｎｅ  Ｇｌｕｃａｇｏｎ−Ｌｉｋｅ  Ｐｅｐｔｉｄｅ  １  Ａｂｏｌｉｓｈｅｓ  Ｐｏｓｔｐｒａｎｄｉａｌ  Ｇｌｙｃｅｍｉａ  ｉｎ  ＮＩＤＤＭ，１９９４．Ｄｉａｂｅｔｅｓ  Ｃａｒｅ  １７：１０３９−１０４４
【非特許文献５７】ＫＲＥＹＭＡＮＮ  ｅｔ  ａｌ．，Ｇｌｕｃａｇｏｎ−Ｌｉｋｅ  Ｐｅｐｔｉｄｅ−１  ７−３６：Ａ  Ｐｈｙｓｉｏｌｏｇｉｃａｌ  Ｉｎｃｒｅｔｉｎ  ｉｎ  Ｍａｎ，１９８７，Ｌａｎｃｅｔ  ２：１３００−１３０４
【非特許文献５８】ＬＡＲＳＥＮ  ｅｔ  ａｌ．，Ｏｎｅ−Ｗｅｅｋ  Ｃｏｎｔｉｎｕｏｕｓ  Ｉｎｆｕｓｉｏｎ  ｏｆ  ＦＬＰ−１（７−３７）Ｉｍｐｒｏｖｅｓ  ｔｈｅ  Ｇｌｙｃａｅｍｉｃ  Ｃｏｎｔｒｏｌ  ｉｎ  ＮＩＤＤＭ，１９９６，Ｄｉａｂｅｔｅｓ  ４５（Ｓｕｐｐｌ．２）：２３３Ａ−８６０（Ａｂｓｔｒａｃｔ）
【非特許文献５９】ＬＡＲＳＥＮ  ｅｔ  ａｌ．，Ｇｌｕｃａｇｏｎ−Ｌｉｋｅ  Ｐｅｐｔｉｄｅ−１  Ｉｎｆｕｓｉｏｎ  Ｍｕｓｔ  Ｂｅ  Ｍａｉｎｔａｉｎｅｄ  ｆｏｒ  ２４  ｈ／ｄａｙ  ｔｏ  Ｏｂｔａｉｎ  Ａｃｃｅｐｔａｂｌｅ  Ｇｌｙｃｅｍｉａ  ｉｎ  ｔｙｐｅ  ２  Ｄｉａｂｅｔｉｃ  Ｐａｔｉｅｎｔｓ  Ｗｈｏ  Ａｒｅ  Ｐｏｏｒｌｙ  Ｃｏｎｔｒｏｌｌｅｄ  ｏｎ  Ｓｕｌｐｈｏｎｙｌｕｒｅａ  Ｔｒｅａｔｍｅｎｔ，２００１．Ｄｉａｂｅｔｅｓ  Ｃａｒｅ  ２４（８）：１４１６−１４２１
【非特許文献６０】ＬＩＳＴ  ｅｔ  ａｌ．，Ｇｌｕｃａｇｏｎ−ｌｉｋｅ  ｐｅｐｔｉｄｅ  １  ａｇｏｎｉｓｔｓ  ａｎｄ  ｔｈｅ  ｄｅｖｅｌｏｐｍｅｎｔ  ａｎｄ  ｇｒｏｗｔｈ  ｏｆ  ｐａｎｃｒｅａｔｉｃ  β−ｃｅｌｌｓ，２００４，Ａｍ．Ｊ．Ｐｈｙｓｉｏｌ．Ｅｎｄｏｃｒｉｎ．Ｍｅｔａｂ．２８６（６）：Ｅ８７５−８８１
【非特許文献６１】ＬＵＧＡＲＩ  ｅｔ  ａｌ．，Ｅｆｆｅｃｔ  ｏｆ  Ｎｕｔｒｉｅｎｔ  Ｉｎｇｅｓｔｉｏｎ  ｏｎ  Ｇｌｕｃａｇｏｎ−Ｌｉｋｅ  Ｐｅｐｔｉｄｅ  １（７−３６  Ａｍｉｄｅ）Ｓｅｃｒｅｔｉｏｎ  ｉｎ  Ｈｕｍａｎ  Ｔｙｐｅ  １  ａｎｄ  Ｔｙｐｅ  ２  Ｄｉａｂｅｔｅｓ．２０００，Ｈｏｒｍ．Ｍｅｔａｂ．Ｒｅｓ．３２：４２４−４２８
【非特許文献６２】ＭＥＩＥＲ  ｅｔ  ａｌ．，Ｉｎｔｒａｖｅｎｏｕｓ  ｇｌｕｃａｇｏｎ−ｌｉｋｅ  ｐｅｐｔｉｄｅ  １  ｎｏｒｍａｌｉｚｅｓ  ｂｌｏｏｄ  ｇｌｕｃｏｓｅ  ａｆｔｅｒ  ｍａｊｏｒ  ｓｕｒｇｅｒｙ  ｉｎ  ｐａｔｉｅｎｔｓ  ｗｉｔ  ｔｙｐｅ  ２  ｄｉａｂｅｔｅｓ，Ｍａｒｃｈ  ２００４．Ｃｒｉｔｉｃａｌ  Ｃａｒｅ  Ｍｅｄｉｃｉｎｅ  ３２（３）：８４８−８５１
【非特許文献６３】ＭＥＮＥＩＬＬＹ  ｅｔ  ａｌ．，Ｅｆｆｅｃｔｓ  ｏｆ  ３  Ｍｏｎｔｈｓ  ｏｆ  Ｃｏｎｔｉｎｕｏｕｓ  Ｓｕｂｃｕｔａｎｅｏｕｓ  Ａｄｍｉｎｉｓｔｒａｔｉｏｎ  ｏｆ  Ｇｌｕｃａｇｏｎ−Ｌｉｋｅ  Ｐｅｐｔｉｄｅ  １  ｉｎ  Ｅｌｄｅｒｌｙ  Ｐａｔｉｅｎｔｓ  Ｗｉｔｈ  Ｔｙｐｅ  ２  Ｄｉａｂｅｔｅｓ．２００３，Ｄｉａｂｅｔｅｓ  Ｃａｒｅ  ２６：２８３５−２８４１
【非特許文献６４】ＮＡＵＣＫ  ｅｔ  ａｌ．，Ｅｆｆｅｃｔｓ  ｐｆ  ｓｕｂｃｕｔａｎｅｏｕｓ  ｇｌｕｃａｇｏｎ−ｌｉｋｅ  ｐｅｐｔｉｄｅ  １（ＧＬＰ−１［７−３６］）ｉｎ  ｐａｔｉｅｎｔｓ  ｗｉｔｈ  ＮＩＤＤＭ．１９９６．Ｄｉａｂｅｔｏｌｏｇｉａ  ３９（１２）：１５４６−１５５３
【非特許文献６５】ＴＨＯＲＥＮＳ  ｅｔ  ａｌ．，Ｇｌｕｃａｇｏｎ−Ｌｉｋｅ  Ｐｅｐｔｉｄｅ−１  ａｎｄ  Ｃｏｎｔｒｏｌ  ｏｆ  Ｉｎｓｕｌｉｎ  Ｓｅｃｒｅｔｉｏｎ．Ｄｅｃ．１９９５．Ｄｉａｂｅｔｅｓ  Ｍｅｔａｂ  ２１（５）：３１１−３１８
【非特許文献６６】ＷＡＮＧ  ｅｔ  ａｌ．，Ｇｌｕｃａｇｏｎ−ｌｉｋｅ  Ｐｅｐｔｉｄｅ−１  Ｃａｎ  Ｒｅｖｅｒｓｅ  ｔｈｅ  Ａｇｅ−ｒｅｌａｔｅｄ  Ｄｅｃｌｉｎｅ  ｉｎ  Ｇｌｕｃｏｓｅ  Ｔｏｌｅｒａｎｃｅ  ｉｎ  Ｒａｔｓ，１９９７．Ｊ．Ｃｌｉｎ．Ｉｎｖｅｓｔ．９９（１２）：２８８３−２８８９
【非特許文献６７】ＺＡＮＤＥＲ  ｅｔ  ａｌ．，Ｅｆｆｅｃｔ  ｏｆ  ６−ｗｅｅｋ  ｃｏｕｒｓｅ  ｏｆ  ｇｌｕｃａｇｏｎ−ｌｉｋｅ  ｐｅｐｔｉｄｅ  １  ｏｎ  ｇｌｙｃａｅｍｉｃ  ｃｏｎｔｒｏｌ，ｉｎｓｕｌｉｎ  ｓｓｅｎｓｉｔｉｖｉｔｙ．ａｎｄ  β−ｃｅｌｌ  ｆｕｎｃｔｉｏｎ  ｉｎ  ｔｙｐｅ  ２  ｄｉａｂｅｔｅｓ：ａ  ｐａｒａｌｌｅｌ−ｇｒｏｕｐ  ｓｔｕｄｙ，２００２．Ｌａｎｃｅｔ  ３５９：８２４−８３０
【非特許文献６８】ＢＡＣＨ  ｅｔ  ａｌ．，Ｔｏｌｅｒａｎｃｅ  ｔｏ  Ｉｓｌｅｔ  Ａｕｔｏａｎｔｉｇｅｎｓ  ｉｎ  Ｔｙｐｅ  １  Ｄｉａｂｅｔｅｓ，Ａｎｎ．Ｒｅｖ．Ｉｍｍｕｎ．１９：１３１−１６１
【非特許文献６９】ＬＥＲＮＭＡＲＫ  ｅｔ  ａｌ．，Ａｕｔｏｉｍｍｕｎｉｔｙ  ｏｆ  Ｄｉａｂｅｔｅｓ，Ｅｎｄｏｃｒｉｎ．Ｍｅｔａｂ．Ｃｌｉｎ．Ｎ．Ａｍ．２０（３）：５８９−６１７
【非特許文献７０】ＭＡＴＨＩＳ  ｅｔ  ａｌ．β−ｃｅｌｌ  ｄｅａｔｈ  ｄｕｒｉｎｇ  ｐｒｏｇｒｅｓｓｉｏｎ  ｔｏ  ｄｉａｂｅｔｅｓ．Ｄｅｃ．２００１，Ｎａｔｕｒｅ  ４１４（６８６５）：７９２−７９８
【非特許文献７１】ＨＥＲＯＬＤ  ｅｔ  ａｌ．，Ａｎｔｉ−ＣＤ３  Ｍｏｎｏｃｌｏｎａｌ  Ａｎｔｉｂｏｄｙ  ｉｎ  Ｎｅｗ−Ｏｎｓｅｔ  Ｔｙｐｅ  １  Ｄｉａｂｅｔｅｓ  Ｍｅｌｌｉｔｕｓ，Ｍａｙ  ３０，２００２，ＮＥＪＭ  ３４６（２２）：１６９２−１６９８
【非特許文献７２】ＤＡＶＩＳ  ｅｔ  ａｌ．，Ｔｈｅ  ｅｆｆｅｃｔｓ  ｏｆ  ＨＤＶ−ｉｎｓｕｌｉｎ  ｏｎ  ｃａｒｂｏｈｙｄｒａｔｅ  ｍｅｔａｂｏｌｉｓｍ  ｉｎ  Ｔｙｐｅ  １  ｄｉａｂｅｔｉｃ  ｐａｔｉｅｎｔｓ，２００１．Ｊ．Ｄｉａｂｅｔｅｓ  Ｃｏｍｐ．１５（５）：２２７−２３３
【非特許文献７３】ＨＯＰＰ  ｅｔ  ａｌ．，Ｐｒｅｄｉｃｔｉｏｎ  ｏｆ  ｐｒｏｔｅｉｎ  ａｎｔｉｇｅｎｉｃ  ｄｅｔｅｒｍｉｎａｎｔｓ  ｆｒｏｍ  ａｍｉｎｏ  ａｃｉｄ  ｓｅｑｕｅｎｃｅｓ，１９８１，Ｐｒｏｃ．Ｎａｔｌ．Ａｃａｄ．Ｓｃｉ．ＵＳＡ  ７８：３８２４−３８２８
【非特許文献７４】ＨＡＲＬＯＷ  ｅｔ  ａｌ．，Ａｎｔｉｂｏｄｉｅｓ：Ａ  Ｌａｂｏｒａｔｏｒｙ  Ｍａｎｕａｌ，Ｃｏｌｄ  Ｓｐｒｉｎｇ  Ｈａｒｂｏｒ  Ｌａｂｏｒａｔｏｒｙ  Ｐｒｅｓｓ，  ２ｎｄ  ｅｄ．，１９８８（ＴＯＣ）
【非特許文献７５】ＨＡＭＭＥＲＬＩＮＧ  ｅｔ  ａｌ．，Ｍｏｎｏｃｌｏｎａｌ  Ａｎｔｉｂｏｄｉｅｓ  ａｎｄ  Ｔ−Ｃｅｌｌ  Ｈｙｂｒｉｄｏｍａｓ  ５６３  ６８１，Ｅｌｓｅｖｉｅｒ，ＮＹ，１９８１（ＴＯＣ）
【非特許文献７６】ＢＲＩＮＫＭＡＮ  ｅｔ  ａｌ．，Ｐｈａｇｅ  ｄｉｓｐｌａｙ  ｏｆ  ｄｉｓｕｌｆｉｄｅ−ｓｔａｂｉｌｉｚｅｄ  Ｆｖ  ｆｒａｇｍｅｎｔｓ，１９９５，Ｉｍｍｕｎｏｌ．Ｍｅｔｈｏｄｓ  １８２：４１−５０
【非特許文献７７】ＡＭＥＳ  ｅｔ  ａｌ．，Ｃｏｎｖｅｒｓｉｏｎ  ｏｆ  ｍｕｒｉｎｅ  Ｆａｂｓ  ｉｓｏｌａｔｅｄ  ｆｒｏｍ  ａ  ｃｏｍｂｉｎａｔｏｒｉａｌ  ｐｈａｇｅ  ｄｉｓｐｌａｙ  ｌｉｂｒａｒｙ  ｔｏ  ｆｕｌｌ  ｌｅｎｇｔｈ  ｉｍｍｕｎｏｇｌｏｂｕｌｉｎｓ，１９９５，Ｊ．Ｉｍｍｕｎｏｌ．Ｍｅｔｈｏｄｓ  １８４：１７７−１８６
【非特許文献７８】ＫＥＴＴＬＥＢＯＲＯＵＧＨ  ｅｔ  ａｌ．，Ｉｓｏｌａｔｉｏｎ  ｏｆ  ｆｕｍｏｒ  ｃｅｌｌ−ｓｐｅｃｉｆｉｃ  ｓｉｎｇｌｅ−ｃｈａｉｎ  Ｆｖ  ｆｒｏｍ  ｉｍｍｕｎｉｚｅｄ  ｍｉｃｅ  ｕｓｉｎｇ  ｐｈａｇｅ−ａｎｔｉｂｏｄｙ  ｌｉｂｒａｒｉｅｓ  ａｎｄ  ｔｈｅ  ｒｅ−ｃｏｎｓｔｒｕｃｔｉｏｎ  ｏｆ  ｗｈｏｌｅ  ａｎｔｉｂｏｄｉｅｓ  ｆｒｏｍ  ｔｈｅｓｅ  ａｎｔｉｂｏｄｙ  ｆｒａｇｍｅｎｔｓ，１９９４．Ｅｕｒ．Ｊ．Ｉｍｍｕｎｏｌ．２４：９５２−９５８
【非特許文献７９】ＢＵＲＴＯＮ  ｅｔ  ａｌ．，Ｈｕｍａｎ  Ａｎｔｉｂｏｄｉｅｓ  ｆｒｏｍ  Ｃｏｍｂｉｎａｔｏｒｉａｌ  ｌｉｂｒａｒｉｅｓ，１９９４．Ａｄｖａｎｃｅｓ  ｉｎ  Ｉｍｍｕｎｏｌｏｇｙ  ５７：１９１−２８０
【非特許文献８０】ＭＵＬＬＩＮＡＸ  ｅｔ  ａｌ．，Ｅｘｐｒｅｓｓｉｏｎ  ｏｆ  ａ  Ｈｅｔｅｒｏｄｉｍｅｒｉｃ  Ｆａｂ  Ａｎｔｉｂｏｄｙ  Ｐｒｏｔｅｉｎ  ｉｎ  Ｏｎｅ  Ｃｌｏｎｉｎｇ  Ｓｔｅｐ  １９９２，Ｂｉｏ  Ｔｅｃｈｎｉｑｕｅｓ  １２（６）：８６４−８６９
【非特許文献８１】ＳＡＷＡＩ  ｅｔ  ａｌ．，Ｄｉｒｅｃｔ  Ｐｒｏｄｕｃｔｉｏｎ  ｏｆ  ｔｈｅ  Ｆａｂ  Ｆｒａｇｍｅｎｔ  Ｄｅｒｉｖｅｄ  ｆｒｏｍ  ｔｈｅ  Ｓｐｅｒｍ  Ｉｍｍｏｂｉｌｉｚｉｎｇ  Ａｎｔｉｂｏｄｙ  Ｕｓｉｎｇ  Ｐｏｌｙｍｅｒａｓｅ  Ｃｈａｉｎ  Ｒｅａｃｔｉｏｎ  ａｎｄ  ｃＤＮＡ  Ｅｘｐｒｅｓｓｉｏｎ  Ｖｅｃｔｏｒｓ，１９９５．ＡＪＲＩ  ３４：２６−３４
【非特許文献８２】ＢＥＴＴＥＲ  ｅｔ  ａｌ．，Ｅｓｃｈｅｒｉｃｈｉａ  ｃｏｌｉ  Ｓｅｃｒｅｔｉｏｎ  ｏｆ  ａｎ  Ａｃｔｉｖｅ  Ｃｈｉｍｅｒｉｃ  Ａｎｔｉｂｏｄｙ  Ｆｒａｇｍｅｎｔ，１９８８．Ｓｃｉｅｎｃｅ  ２４０：１０４１−１０４３
【非特許文献８３】ＭＯＲＲＩＳＯＮ．Ｔｒａｎｓｆｅｃｔｏｍａｓ  Ｐｒｏｖｉｄｅ  Ｎｏｖｅｌ  Ｃｈｉｍｅｒｉｃ  Ａｎｔｉｂｏｄｉｅｓ．１９８５．Ｓｃｉｅｎｃｅ  ２２９：１２０２−１２０７
【非特許文献８４】Ｏｌ  ｅｔ  ａｌ．，Ｃｈｉｍｅｒｉｃ  Ａｎｔｉｂｏｄｉｅｓ，１９８６，ＢｉｏＴｅｃｈｎｉｑｕｅｓ  ４（３）：２１４
【非特許文献８５】ＧＩＬＬＩＥＳ  ｅｔ  ａｌ．，Ｈｉｇｈ−ｌｅｖｅｌ  ｅｘｐｒｅｓｓｉｏｎ  ｏｆ  Ｃｈｉｍｅｒｉｃ  ａｎｔｉｂｏｄｉｅｓ  ｕｓｉｎｇ  ａｄａｐｔｅｄ  ｃＤＮＡ  ｖａｒｉａｂｌｅ  ｒｅｇｉｏｎ  ｃａｓｓｅｔｔｅｓ，１９８９，Ｊ．Ｉｍｍｕｎｏｌ．Ｍｅｔｈｏｄｓ  １２５：１９１−２０２
【非特許文献８６】ＰＡＤＬＡＮ．Ａ  Ｐｏｓｓｉｂｌｅ  Ｐｒｏｃｅｄｕｒｅ  ｆｏｒ  Ｒｅｄｕｃｉｎｇ  ｔｈｅ  Ｉｍｍｕｎｏｇｅｎｉｃｉｔｙ  ｏｆ  Ａｎｔｉｂｏｄｙ  Ｖａｒｉａｂｌｅ  Ｄｏｍａｉｎｓ  Ｗｈｉｌｅ  Ｐｒｅｓｅｒｖｉｎｇ  Ｔｈｅｉｒ  Ｌｉｇａｎｄ−Ｂｉｎｄｉｎｇ  Ｐｒｏｐｅｒｔｉｅｓ，１９９１．Ｍｏｌｅｃｕｌａｒ  Ｉｍｍｕｎｏｌｏｇｙ  ２８（４／５）：４８９−４９８
【非特許文献８７】ＳＴＵＤＮＩＣＫＡ  ｅｔ  ａｌ．，Ｈｕｍａｎ−ｅｎｇｉｎｅｅｒｅｄ  ｍｏｎｏｃｌｏｎａｌ  ａｎｔｉｂｏｄｉｅｓ  ｒｅｔａｉｎ  ｆｕｌｌ  ｓｐｅｃｉｆｉｃ  ｂｉｎｄｉｎｇ  ａｃｔｉｖｉｔｙ  ｂｙ  ｐｒｅｓｅｒｖｉｎｇ  ｎｏｎ−ＣＤＲ  ｃｏｍｐｌｅｍｅｎｔａｒｉｔｙ−ｍｏｄｕｌａｔｉｎｇ  ｒｅｓｉｄｕｅｓ，１９９４．Ｐｒｏｔｅｉｎ  Ｅｎｇｉｎｅｅｒｉｎｇ  ７（６）：８０５−８１４
【非特許文献８８】ＲＯＧＵＳＫＡ  ｅｔ  ａｌ．，Ｈｕｍａｎｉｚａｔｉｏｎ  ｏｆ  ｍｕｒｉｎｅ  ｍｏｎｏｃｌｏｎａｌ  ａｎｔｉｂｏｄｉｅｓ  ｔｈｒｏｕｇｈ  ｖａｒｉａｂｌｅ  ｄｏｍａｉｎ  ｒｅｓｕｒｆａｃｉｎｇ．１９９４．ＰＮＡＳ  ９１：９６９−９７３
【非特許文献８９】ＴＡＮ  ｅｔ  ａｌ．，  "Ｓｕｐｅｒｈｕｍａｎｉｚｅｄ"Ａｎｔｉｂｏｄｉｅｓ：Ｒｅｄｕｃｔｉｏｎ  ｏｆ  Ｉｍｍｕｎｏｇｅｎｉｃ  Ｐｏｔｅｎｔｉａｌ  ｂｙ  Ｃｏｍｐｌｅｍｅｎｔａｒｉｔｙ−Ｄｅｔｅｒｍｉｎｉｎｇ  Ｒｅｇｉｏｎ  Ｇｒａｆｔｉｎｇ  ｗｉｔｈ  Ｈｕｍａｎ  Ｇｅｒｍｌｉｎｅ  Ｓｅｑｕｅｎｃｅ：Ａｐｐｌｉｃａｔｉｏｎ  ｔｏ  ａｎ  Ａｎｔｉ−ＣＤ２８．２００２．Ｊ．Ｉｍｍｕｎｏｌ．１６９：１１１９−１１２５
【非特許文献９０】ＣＡＬＤＡＳ  ｅｔ  ａｌ．，Ｄｅｓｉｇｎ  ａｎｄ  ｓｙｎｔｈｅｓｉｓ  ｏｆ  ｇｅｒｍｌｉｎｅ−ｂａｓｅｄ  ｈｅｍｉ−ｈｕｍａｎｉｚｅｄ  ｓｉｎｇｌｅ−ｃｈａｉｎ  Ｆｖ  ａｇａｉｎｓｔ  ｔｈｅ  ＣＤ１８  ｓｕｒｆａｃｅ  ａｎｔｉｇｅｎ，２０００．Ｐｒｏｔｅｉｎ  Ｅｎｇ．１３（５）：３５３−３６０
【非特許文献９１】ＭＯＲＥＡ  ｅｔ  ａｌ．，Ａｎｔｉｂｏｄｙ  Ｍｏｄｅｌｉｎｇ：Ｉｍｐｌｉｃａｔｉｏｎｓ  ｆｏｒ  Ｅｎｇｉｎｅｅｒｉｎｇ  ａｎｄ  Ｄｅｓｉｇｎ．２０００．Ｍｅｔｈｏｄｓ  ２０（３）：２６７−２７９
【非特許文献９２】ＢＡＣＡ  ｅｔ  ａｌ．，Ａｎｔｉｂｏｄｙ  Ｈｕｍａｎｉｚａｔｉｏｎ  Ｕｓｉｎｇ  Ｍｏｎｏｖａｌｅｎｔ  Ｐｈａｇｅ  Ｄｉｓｐｌａｙ．１９９７，Ｊ．Ｂｉｏｌ．Ｃｈｅｍ．２７２（１６）：１０６７８−１０６８４
【非特許文献９３】ＲＯＧＵＳＫＡ  ｅｔ  ａｌ．，Ａ  ｃｏｍｐａｒｉｓｏｎ  ｏｆ  ｔｗｏ  ｍｕｒｉｎｅ  ｍｏｎｏｃｌｏｎａｌ  ａｎｔｉｂｏｄｉｅｓ  ｈｕｍａｎｉｚｅｄ  ｂｙ  ＣＤＲ−ｇｒａｆｔｉｎｇ  ａｎｄ  ｃａｒｉａｂｌｅ  ｄｏｍａｉｎ  ｒｅｓｕｒｆａｃｉｎｇ．１９９６，９（１０）：８９５−９０４
【非特許文献９４】ＣＯＵＴＯ  ｅｔ  ａｌ．，Ｄｅｓｉｇｎｉｎｇ  Ｈｕｍａｎ  Ｃｏｎｓｅｎｓｕｓ  Ａｎｔｉｂｏｄｉｅｓ  ｗｉｔｈ  Ｍｉｎｉｍａｌ  Ｐｏｓｉｔｉｏｎａｌ  Ｔｅｍｐｌａｔｅｓ，１９９５．Ｃａｎｃｅｒ  Ｒｅｓ．５５（２３  Ｓｕｐｐｌ）：５９７３ｓ−５９７７ｓ
【非特許文献９５】ＣＯＵＴＯ  ｅｔ  ａｌ．，Ａｎｔｉ−ＢＡ４６  Ｍｏｎｏｃｌｏｎａｌ  Ａｎｔｉｂｏｄｙ  Ｍｃ３：Ｈｕｍａｎｉｚａｔｉｏｎ  Ｕｓｉｎｇ  ａ  Ｎｏｖｅｌ  Ｐｏｓｉｔｉｏｎａｌ  Ｃｏｎｓｅｎｓｕｓ  ａｎｄ  ｉｎ  Ｖｉｖｏ  ａｎｄ  ｉｎ  Ｖｉｔｒｏ  Ｃｈａｒａｃｔｅｒｉｚａｔｉｏｎ，１９９５．Ｃａｎｃｅｒ  Ｒｅｓ．５５（８）：１７１７−１７２２
【非特許文献９６】ＳＡＮＤＨＵ，Ａ  ｒａｐｉｄ  ｐｒｏｃｅｄｕｒｅ  ｆｏｒ  ｔｈｅ  ｈｕｍａｎｉｚａｔｉｏｎ  ｏｆ  ｍｏｎｏｃｌｏｎａｌ  ａｎｔｉｂｏｄｉｅｓ，１９９４，Ｇｅｎｅ  １５０（２）：４０９−４１０
【非特許文献９７】ＰＥＤＥＲＳＯＮ  ｅｔ  ａｌ．，Ｃｏｍｐａｒｉｓｏｎ  ｏｆ  Ｓｕｒｆａｃｅ  Ａｃｃｅｓｓｉｂｌｅ  Ｒｅｓｉｄｕｅｓ  ｉｎ  Ｈｕｍａｎ  ａｎｄ  Ｍｕｒｉｎｅ  Ｉｍｍｕｎｏｇｌｏｂｕｌｉｎ  Ｆｖ  Ｄｏｍａｉｎｓ，１９９４．Ｊ．Ｍｏｌ．Ｂｏｉｌ．２３５（３）：９５９−９７３
【非特許文献９８】ＲＩＥＣＨＭＡＮＮ  ｅｔ  ａｌ．，Ｒｅｓｈａｐｉｎｇ  ｈｕｍａｎ  ａｎｔｉｂｏｄｉｅｓ  ｆｏｒ  ｔｈｅｒａｐｙ．１９８８．Ｎａｔｕｒｅ  ３３２（２４）：３２３−３２７
【非特許文献９９】ＳＣＯＰＥＳ．Ｐｒｏｔｅｉｎ  Ｐｕｒｉｆｉｃａｔｉｏｎ．Ｐｒｉｎｃｉｐｌｅｓ  ａｎｄ  Ｐｒａｃｔｉｃｅ，３ｒｄｅｄ．，Ｓｐｒｉｎｇｅｒ−Ｖｅｒｌａｇ，１９９４（ＴＯＣ）
【非特許文献１００】ＷＵ  ｅｔ  ａｌ．，Ａｄａｐｔｅｒｓ，Ｌｉｎｋｅｒｓ．Ｍｅｔｈｙｌａｔｉｏｎ，１９８７，Ｍｅｔｈｏｄｓ  ｉｎ  Ｅｎｚｙｍｏｌ  １５２：３４３−３４９
【非特許文献１０１】ＦＯＥＣＫＩＮＧ  ｅｔ  ａｌ．，  Ｐｏｗｅｒｆｕｌ  ａｎｄ  ｖｅｒｓａｔｉｌｅ  ｅｎｈａｎｃｅｒ−ｐｒｏｍｏｔｅｒ  ｕｎｉｔ  ｆｏｒ  ｍａｍｍａｌｉａｎ  ｅｘｐｒｅｓｓｉｏｎ  ｖｅｃｔｏｒｓ．  １９８６，  Ｇｅｎｅ  ４５：１０１−１０５
【非特許文献１０２】ＣＯＣＫＥＴＴ  ｅｔ  ａｌ．，  Ｈｉｇｈ  Ｌｅｖｅｌ  Ｅｘｐｒｅｓｓｉｏｎ  ｏｆ  Ｔｉｓｓｕｅ  Ｉｎｈｉｂｉｔｏｒ  ｏｆ  Ｍｅｔａｌｌｏｐｒｏｔｅｉｎａｓｅｓ  ｉｎ  Ｃｈｉｎｅｓｅ  Ｈａｍｓｔｅｒ  Ｏｖａｒｙ  Ｃｅｌｌｓ  Ｕｓｉｎｇ  Ｇｌｕｔａｍｉｎｅ  Ｓｙｎｔｈｅｔａｓｅ  Ｇｅｎｅ  Ａｍｐｌｉｆｉｃａｔｉｏｎ，  １９９０，  Ｂｉｏ／Ｔｅｃｈｎｏｌｏｇｙ  ８：６６２−６６７
【非特許文献１０３】ＩＮＯＵＹＥ  ｅｔ  ａｌ．，  Ｕｐ−ｐｒｏｍｏｔｅｒ  ｍｕｔａｔｉｏｎｓ  ｉｎ  ｔｈｅ  ｌｐｐ  ｇｅｎｅ  ｏｆ  Ｅｓｃｈｅｒｉｃｈｉａ  ｃｏｌｉ，  １９８５，  Ｎｕｃｌｅｉｃ  Ａｃｉｄｓ  Ｒｅｓ．  １３：３１０１−３１０９
【非特許文献１０４】ＬＯＧＡＮ  ｅｔ  ａｌ．，  Ａｄｅｎｏｖｉｒｕｓ  ｔｒｉｐａｒｔｉｔｅ  ｌｅａｄｅｒ  ｓｅｑｕｅｎｃｅ  ｅｎｈａｎｃｅｓ  ｔｒａｎｓｌａｔｉｏｎ  ｏｆ  ｍＲＮＡｓ  ｌａｔｅ  ａｆｔｅｒ  ｉｎｆｅｃｔｉｏｎ，  １９８４，  Ｐｒｏｃ，  Ｎａｔｌ，  Ａｃａｄ．  Ｓｃｉ．  ＵＳＡ  ８１：３６５５−３６５９
【非特許文献１０５】ＢＩＴＴＥＲ  ｅｔ  ａｌ．，  Ｅｘｐｒｅｓｓｉｏｎ  ａｎｄ  Ｓｅｃｒｅｔｉｏｎ  Ｖｅｃｔｏｒｓ  ｆｏｒ  Ｙｅａｓｔ，  １９８７，  Ｍｅｔｈｏｄｓ  ｉｎ  Ｅｎｚｙｍｏｌ．  １５３：５１６−５４４
【非特許文献１０６】ＷＵ  ｅｔ  ａｌ．，  Ｄｅｌｉｖｅｒｙ  ｓｙｓｔｅｍｓ  ｆｏｒ  ｇｅｎｅ  ｔｈｅｒａｐｙ，  １９９１，  Ｂｉｏｔｈｅｒａｐｙ  ３：８７−９５
【非特許文献１０７】ＴＯＬＳＴＯＳＨＥＶ，  Ｇｅｎｅ  Ｔｈｅｒａｐｙ，  Ｃｏｎｃｅｐｔｓ，  Ｃｕｒｒｅｎｔ  Ｔｒｉａｌｓ  ａｎｄ  Ｆｕｔｒｕｅ  Ｄｉｒｅｃｔｉｏｎｓ，  １９９３，  Ａｎｎ．  Ｒｅｖ．  Ｐｈａｒｍａｃｏｌ．  Ｔｏｘｉｃｏｌ  ３２：５７３−５９６
【非特許文献１０８】ＭＵＬＬＩＧＡＮ，  Ｔｈｅ  Ｂａｓｉｃ  Ｓｃｉｅｎｃｅ  ｏｆ  Ｇｅｎｅ  Ｔｈｅｒａｐｙ，  １９９３，  Ｓｃｉｅｎｃｅ  ２６０：９２６−９３２
【非特許文献１０９】ＭＯＲＧＡＮ  ｅｔ  ａｌ．，  Ｈｕｍａｎ  Ｇｅｎｅ  Ｔｈｅｒａｐｙ，  １９９３，  Ａｎｎ  Ｒｅｖ．  Ｂｉｏｃｈｅｍ．  ６２：１９１−２１７
【非特許文献１１０】ＷＩＧＬＥＲ  ｅｔ  ａｌ．，  Ｔｒａｎｓｆｏｒｍａｔｉｏｎ  ｏｆ  ｍａｍｍａｌｉａｎ  ｃｅｌｌｓ  ｗｉｔｈ  ａｎ  ａｍｐｌｉｆｉａｂｌｅ  ｄｏｍｉｎａｎｔ−ａｃｔｉｎｇ  ｇｅｎｅ，  １９８０，  Ｎａｔｌ．  Ａｃａｄ．  Ｓｃｉ．  ＵＳＡ  ７７（６）：３５６７−３５７０
【非特許文献１１１】ＯＨＡＲＥ  ｅｔ  ａｌ．，  Ｔｒａｎｓｆｏｒｍａｔｉｏｎ  ｏｆ  ｍｏｕｓｅ  ｆｉｂｒｏｂｌａｓｔｓ  ｔｏ  ｍｅｔｈｏｔｒｅｘａｔｅ  ｒｅｓｉｓｔａｎｃｅ  ｂｙ  ａ  ｒｅｃｏｍｂｉｎａｎｔ  ｐｌａｓｍｉｄ  ｅｘｐｒｅｓｓｉｎｇ  ａ  ｐｒｏｋａｒｙｏｔｉｃ  ｄｉｈｙｄｒｏｆｏｌａｔｅ  ｒｅｄｕｃｔａｓｅ，  １９８１，  Ｐｒｏｃ．  Ｎａｔｌ，  Ａｃａｄ．  Ｓｃｉ．  ＵＳＡ  ７８（３）：１５２７−１５３１
【非特許文献１１２】ＭＵＬＬＩＧＡＮ  ｅｔ  ａｌ．，  Ｓｅｌｅｃｔｉｏｎ  ｆｏｒ  ａｎｉｍａｌ  ｃｅｌｌｓ  ｔｈａｔ  ｅｘｐｒｅｓｓ  ｔｈｅ  Ｅｓｃｈｅｒｉｃｈｉａ  ｃｏｌｉ  ｇｅｎｅ  ｃｏｄｉｎｇ  ｆｏｒ  ｘａｎｔｈｉｎｅ−ｇｕａｎｉｎｅ  ｐｈｏｓｐｈｏｒｉｂｏｓｙｌｔｒａｎｓｆｅｒａｓｅ，  １９８１，  Ｐｒｏｃ．  Ｎａｔｌ．  Ａｃａｄ．  Ｓｃｉ．  ＵＳＡ  ７８（４）：２０７２−２０７６
【非特許文献１１３】ＫＲＩＥＧＬＥＲ，  Ｇｅｎｅ  Ｔｒａｎｓｆｅｒ  ａｎｄ  Ｅｘｐｒｅｓｓｉｏｎ，  Ａ  Ｌａｂｏｒａｔｏｒｙ  Ｍａｎｕａｌ．  Ｓｔｏｃｋｔｏｎ  Ｐｒｅｓｓ，  ＮＹ，  １９９０  （ＴＯＣ）
【非特許文献１１４】ＨＡＩＮＥＳ  ｅｔ  ａｌ．，  ｅｄｓ．，  Ｃｕｒｒｅｎｔ  Ｐｒｏｔｏｃｏｌｓ  ｉｎ  Ｈｕｍａｎ  Ｇｅｎｅｔｉｃｓ，  Ｊｏｈｎ  Ｗｉｌｅｙ  &  Ｓｏｎｓ，  ＮＹ  １９９４  Ｃｈａｐｔｅｒ  １２
【非特許文献１１５】ＨＡＩＮＥＳ  ｅｔ  ａｌ．，  ｅｄｓ．，  Ｃｕｒｒｅｎｔ  Ｐｒｏｔｏｃｏｌｓ  ｉｎ  Ｈｕｍａｎ  Ｇｅｎｅｔｉｃｓ，  Ｊｏｈｎ  Ｗｉｌｅｙ  &  Ｓｏｎｓ，  ＮＹ  １９９４  Ｃｈａｐｔｅｒ  １３
【非特許文献１１６】ＣＯＬＢＥＲＲＥ−ＧＡＲＡＰＩＮ  ｅｔ  ａｌ．，  Ａ  Ｎｅｗ  Ｄｏｍｉｎａｎｔ  Ｈｙｂｒｉｄ  Ｓｅｌｅｃｔｉｖｅ  Ｍａｒｋｅｒ  ｆｏｒ  Ｈｉｇｈｅｒ  Ｅｕｋａｒｙｏｔｉｃ  Ｃｅｌｌｓ．  １９８１，  Ｊ．  Ｍｏｌ．  Ｂｉｏｌ．  １５０：１−１４
【非特許文献１１７】ＭＥＲＲＩＦＩＥＬＤ，  Ｓｏｌｉｄ  Ｐｈａｓｅ  Ｐｅｐｔｉｄｅ  Ｓｙｎｔｈｅｓｉｓ：  Ｔｈｅ  Ｓｙｎｔｈｅｓｉｓ  ｏｆ  ａ  Ｔｅｔｒａｐｅｐｔｉｄｅ，  １９６３，  Ｊ．  Ａｍ  Ｃｈｅｍ．  Ｓｏｃ．  ８５：２１４９−２１５４
【非特許文献１１８】ＡＴＨＥＲＴＯＮ  ｅｔ  ａｌ．，  １９８９，  Ｓｏｌｉｄ  Ｐｈａｓｅ  Ｐｅｐｔｉｄｅ  Ｓｙｎｔｈｅｓｉｓ：  Ａ  Ｐｒａｃｔｉｃａｌ  Ａｐｐｒｏａｃｈ，  ＩＲＬ  Ｐｒｅｓｓ  Ｏｘｆｏｒｄ  （ＴＯＣ）
【非特許文献１１９】ＢＯＤＡＮＳＺＫＹ，  １９９３，  Ｐｅｐｔｉｄｅ  Ｃｈｅｍｉｓｔｒｙ，  Ａ  Ｐｒａｃｔｉｃａｌ  Ｔｅｘｔｂｏｏｋ，  ２ｎｄ  ｅｄ．，  Ｓｐｒｉｎｇｅｒ−Ｖｅｒｌａｇ  （ＴＯＣ）
【非特許文献１２０】ＢＯＮＮＥＲ−ＷＥＩＲ  ｅｔ  ａｌ．，  Ｔｈｅ  ｐａｎｃｒｅａｔｉｃ  ｄｕｃｔａｌ  ｅｐｉｔｈｅｌｉｕｍ  ｓｅｒｖｅｓ  ａｓ  ａ  ｐｏｔｅｎｔｉａｌ  ｐｏｏｌ  ｏｆ  ｐｒｏｇｅｎｉｔｏｒ  ｃｅｌｌｓ，  ２００４，  ｐｅｄｉａｔｒｉｃ  Ｄｉａｂｅｔｅｓ  ５（Ｓｕｐｐｌ  ２）：１６−２２
【非特許文献１２１】ＪＡＭＡＬ  ｅｔ  ａｌ．，  Ｍｏｒｐｈｏｇｅｎｅｔｉｃ  ｐｌａｓｔｉｃｉｔｙ  ｏｆ  ａｄｕｌｔ  ｈｕｍａｎ  ｐａｎｃｒｅａｔｉｃ  ｉｓｌｅｔｓ  ｏｆ  Ｌａｎｇｅｒｈａｎｓ，  Ｊｕｌｙ  ２００５，  Ｃｅｌｌ  Ｄｅａｔｈ  Ｄｉｆｆｅｒ，  １２（７）：７０２−７１２
【非特許文献１２２】ＤＥＬＯＶＩＴＣＨ  ｅｔ  ａｌ．，  Ｔｈｅ  Ｎｏｎｏｂｅｓｅ  Ｄｉａｂｅｔｉｃ  Ｍｏｕｓｅ  ａｓ  ａ  Ｍｏｄｅｌ  ｏｆ  Ａｕｔｏｉｍｍｕｎｅ  Ｄｉａｂｅｔｅｓ；  Ｉｍｍｕｎｅ  Ｄｙｓｒｅｇｕｌａｔｉｏｎ  Ｇｅｔｓ  ｔｈｅ  ＮＯＤ，  １９９７，  Ｉｍｍｕｎｉｔｙ  ７：７２７−７３８
【非特許文献１２３】ＶＡＮ  ＨＥＥＫＥ  ｅｔ  ａｌ．，  Ｅｘｐｒｅｓｓｉｏｎ  ｏｆ  Ｈｕｍａｎ  Ａｓｐａｒａｇｉｎｅ  Ｓｙｎｔｈｅｔａｓｅ  ｉｎ  Ｅｓｃｈｅｒｉｃｈｉａ  ｃｏｌｉ，  １９８９，  Ｊ．  Ｂｉｏｌ．  Ｃｈｅｍ．  ２４：５５０３−５５０９